(57)【要約】本発明は、無色透明で可干渉性のフェイスプレートとして作用する繊維状結晶によって作られた光学フェイスプレート（１１０）を提供する。単一のファイバの開口数は、約０．２０〜０．６６の範囲内である。このような繊維状結晶の非限定的な例は、曹灰ホウ石（又は、“ＴＶ”岩として知られてもいる）。一つの実施形態においては、本発明は、実験室で作られた人工的に成長せしめられた形態の繊維状結晶によって作られた光学フェイスプレート（１１０）を含んでいる。更に別の実施形態においては、光学フェイスプレート（１１０）は、自然界において発見されないか又は自然界において繊維状の形態では発見されない結晶によって作られる。一つの実施形態においては、本発明は、拡散後方投影スクリーン（１３０）と組み合わせたプレスクリーンとしての少なくとも一つの繊維状結晶フェイスプレート（１１０）を含んでいる継ぎ目無しに並べて張りつめた投影ディスプレイを提供している。繊維状結晶によって作られたフェイスプレートは、大きさの制限が無い。本発明の一つの実施形態においては、結晶のより小さいプレートが継ぎ目無しに並べて張りつめられて、より大きなプレートに作られ、大きな投影スクリーンの必要性を満たす。本発明による投影ディスプレイは、効率良く且つ低コストで提供される。
2004533002.tif 000002
【特許請求の範囲】
【請求項１】
像発生源からの像を表示するたの投影スクリーンであって、
繊維状結晶からなる少なくとも一つの光学フェイスプレートを含んでいるプレスクリーンを備えた第一の拡散アセンブリと、
拡散された後方投影スクリーンを含む第二の拡散アセンブリと、を含み、
前記フェイスプレートが、前記像発生源から像を受け取り且つ同像を更に拡散させるように位置づけられている、投影スクリーン。
【請求項２】
請求項１に記載のスクリーンであって、
前記プレスクリーンが、繊維状結晶からなる複数の継ぎ目無しに並べて張りつめられた光学フェイスプレートを含んでいる、スクリーン。
【請求項３】
請求項１に記載のスクリーンであって、
前記投影スクリーンの眺める側に設けられた反射防止コーティングを更に含んでいる、スクリーン。
【請求項４】
請求項１のスクリーンであって、
前記光学フェイスプレートが天然に発見されない結晶及び繊維状の形態では天然に発見できない結晶からなる群から選択された繊維状結晶によって作られている、スクリーン。
【請求項５】
請求項１に記載のスクリーンであって、
前記光学フェイスプレートが、人工的に成長せしめられた結晶及び天然に存在しない合成された結晶からなる群から選択された結晶によって作られている、スクリーン。
【請求項６】
請求項１に記載のスクリーンであって、
前記光学フェイスプレートが、無色透明で可干渉性のフェイスプレートとして作用し、開口数が約０．２〜０．６６である繊維を含んでいる材料によって作られている、スクリーン。
【請求項７】
請求項６に記載のスクリーンであって、
前記材料が、曹灰ホウ石、透石膏、アルテナイト及び霰石からなる群から選択されたものである、スクリーン。
【請求項８】
請求項６に記載のスクリーンであって、
前記光学フェイスプレートが、実験室で作られた曹灰ホウ石（ＮａＣａＢ5Ｏ9８Ｈ2Ｏ）によって作られている、スクリーン。
【請求項９】
実験室で成長させた結晶を含んでいる光学フェイスプレート。
【請求項１０】
請求項９の光学フェイスプレートであって、
人工的に成長せしめられた結晶及び天然に存在しない合成された繊維状結晶からなる群から選択された少なくとも一つの結晶によって作られた、光学フェイスプレート。
【請求項１１】
請求項９に記載の光学フェイスプレートであって、
実験室で成長させた結晶の複数のシートによって作られた、光学フェイスプレート。
【請求項１２】
請求項９に記載の光学フェイスプレートであって、
実験室で成長させた曹灰ホウ石（ＮａＣａＢ5Ｏ9８Ｈ2Ｏ）結晶の少なくとも一つのシートによって作られた、光学フェイスプレート。
【請求項１３】
請求項９に記載の光学フェイスプレートであって、
石英結晶の少なくとも一つのシートによって作られた、光学フェイスプレート。
【請求項１４】
請求項９に記載の光学フェイスプレートであって、
前記結晶が、規則的な繊維構造を有し且つ整列された繊維の束として成長している、光学フェイスプレート。
【請求項１５】
請求項１４に記載の光学フェイスプレートであって、
繊維の断面形状が丸くない、光学フェイスプレート。
【請求項１６】
請求項１６に記載の光学フェイスプレートであって、
前記結晶が無色で、繊維の束の繊維の長手寸法において高い透明性を有し、繊維間の内部拡散が低く、繊維が厳密に平行に整列している、光学フェイスプレート。
【請求項１７】
請求項１４に記載の光学フェイスプレートであって、
単一のファイバの開口数が、約０．２０〜０．６６の範囲内である、光学フェイスプレート。
【請求項１８】
請求項１７に記載の光学フェイスプレートであって、
単一のファイバの開口数が、約０．２４〜０．３５の範囲内である、光学フェイスプレート。
【請求項１９】
請求項９に記載の光学フェイスプレートであって、
前記結晶が環境的に安定しており且つ約−２０〜＋７０℃の温度範囲において安定した形態で存在することができる、光学フェイスプレート。
【請求項２０】
請求項９に記載の光学フェイスプレートであって、
前記結晶が無害である、光学フェイスプレート。
【請求項２１】
請求項９に記載の光学フェイスプレートであって、
当該光学フェイスプレートが、無色透明で可干渉性のフェイスプレートとして作用し且つ開口数が約０．２〜０．６６の繊維を含んでいる繊維状結晶を有する材料によって作られている、光学フェイスプレート。
【請求項２２】
請求項２１に記載の光学フェイスプレートであって、
前記材料が、曹灰ホウ石、透石膏、アルテナイト及び霰石からなる群から選択されたものである、光学フェイスプレート。
【請求項２３】
請求項２１に記載の光学フェイスプレートであって、
前記材料が、実験室で成長させた曹灰ホウ石（ＮａＣａＢ5Ｏ9８Ｈ2Ｏ）を含んでいる、光学フェイスプレート。
【請求項２４】
請求項２３に記載の光学フェイスプレートであって、
前記材料がドーパントを更に含んでいる、光学フェイスプレート。
【請求項２５】
請求項２３に記載の光学フェイスプレートであって、
前記曹灰ホウ石が、熱水作用による方法によって成長せしめられる、光学フェイスプレート。
【請求項２６】
請求項２３に記載の光学フェイスプレートであって、
前記曹灰ホウ石が、ＮａＯ、ＣａＯ、Ｂ2Ｏ3及びＨ2Ｏの正規組成の混合物から成長せしめられている、光学フェイスプレート。
【請求項２７】
請求項２３に記載の光学フェイスプレートであって、
前記曹灰ホウ石が、天然の曹灰ホウ石を再結晶させることによって実験室で成長させられた、光学フェイスプレート。
【請求項２８】
請求項２１に記載の光学フェイスプレートであって、
前記材料が石英である、光学フェイスプレート。
【請求項２９】
請求項２１に記載の光学フェイスプレートであって、
前記材料がドーパントを更に含んでいる、光学フェイスプレート。
【請求項３０】
請求項２８に記載の光学フェイスプレートであって、
前記石英が、熱水作用による方法によって成長せしめられている、光学フェイスプレート。
【請求項３１】
影像増強管、写野平坦化光学系、液晶光弁（ＬＣＬＶｓ）、ＣＣＤアレイ、Ｘ−線撮像素子、ＣＲＴディスプレイ及び遠隔観察装置からなる群から選択された装置のための、繊維状結晶からなる光学フェイスプレート。
【発明の詳細な説明】
【技術分野】
【０００１】
本発明は、後方投影スクリーン上に多数の投影像を“並べて張りつめる”投影装置に関し、より特別には、高性能の後方投影スクリーンの製造のための費用効率の高い方法及びそれによって製造される継ぎ目無しの後方投影スクリーンに関する。
【背景技術】
【０００２】
フラットパネルディスプレイは、一般的には、パッケージの大きさが極めて重要であるラップトップコンピュータ、ノートブックコンピュータ又はその他の持ち運び可能なコンピュータに採用されている。このような用途においては、ディスプレイ装置の厚みを最小に保つことが特に重要である。
【０００３】
従来のディスプレイ装置においては、ディスプレイの最小厚みは、平らな最小照射光源を採用することによって得られる。照射光源は、平らな蛍光装置と、活性マトリックス結晶モジュールの裏面に隣接して配置される連続した拡散器と、を含んでいる。拡散器は、蛍光光源からの光を液晶モジュールを覆うように均一に分布させる試みにおいて使用される。表示された像を見る場合に、見る人は、液晶モジュールを介して、その後方の拡散された光源を効率良く見つめる。
【０００４】
この方法においては、ディスプレイの大きな表面積に亘って均一な輝度を提供することは極めて困難である。更に、見る人は、液晶ディスプレイを介して、その後方の拡散された光源を効率良く見つめるので、ある角度で液晶ディスプレイを通過する光線は、ディスプレイ面に直角に通過する光線よりも、液晶材料を通る、より長い経路をたどるであろう。
【０００５】
液晶光弁（ＬＣＬＶ）を照射するための平行光線の光源と、光を拡散させ且つディスプレイ装置の視野を制御するためにＬＣＬＶの前方に設けられた後方投影拡散スクリーンとを利用しているディスプレイ装置、特に、ＬＣＬＶを照射するために平行光線を使用することによって、上記のコントラストの問題が避けられる。しかしながら、ディスプレイの厚みは、照射光がＬＣＬＶに到達する前に平行にする必要性により、投影スクリーンの幅と少なくとも同じ大きさでなければならない。このことは、比較的小さいスクリーンサイズのフラットパネルディスプレイのディスプレイ装置としての用途を制限する。
【０００６】
スクリーンサイズの制限を解決する一つの方法は、後方投影スクリーン上に列状に並置して表示される一組みの個々のより小さい像部分として像を表示することである。より小さい像部分の各々は、ＬＣＬＶのような別個の小さい像源によって形成される。“並べて張りつめる方法（ｔｉｌｉｎｇ）”として知られているこの技術によって、依然として多数の比較的小さい像源を使用しつつ、任意の大きなスクリーンサイズを備えたディスプレイ装置を作ることが可能になる。像を並べて張りつめる方法の例が図１に示されている。
【０００７】
後方に投影される複数の像を継ぎ目無しに並べて張りつめる方法は、大面積高解像度ディスプレイを形成するための最も効率の良い方法であると考えられる。しかしながら、拡散したスクリーンの特性によって、（図２に示されているような）方向性が不均一の散乱を生じさせ、従って、継ぎ目無しになるためには特別な解決方法が必要とされる。
【０００８】
並べて張りつめられる装置が有する一つの問題点は、軸上で見たとき又は軸から外れて見たときに、投影スクリーン上の互いに隣接する像部分間に輝度の不均一さがあることである。これは、像が投影スクリーンに対して形成する入射角と、投影スクリーン上の像を観察者が見る角度との両方の関数として、後方投影スクリーンから拡散される像の輝度が変化するからである。並べて張りつめられた像の各々は異なる角度でスクリーン上に入射し、観察者は、異なる視野でそれらの像の各々を見るので、観察者は、それらの間の輝度の差に気づくであろう。
【０００９】
公知の解決方法としては、像が大きな程度（５０％まで）重なるような拡散されたスクリーンを用いるか、あるいは、像の重なりがより少ない程度であるか又は重なりが無いような拡散スクリーンを備えた種々のプレスクリーンを組み合わせたものを用いる方法がある。公知の最も有効なプレスクリーンの一つは、図２に示すような、多チャンネル空間積層管（ｍｕｌｔｉｐｌｅ  ｃｈａｎｎｅｌ  ｓｐａｔｉａｌ  ｉｎｔｅｇｒａｔｉｏｎ  ｔｕｂｅ）として作用する、溶融光学繊維からなるフェイスプレートである。光学繊維フェイスプレートは、図４に示すように、拡散スクリーンと組み合わせることにより、ランバートのスクリーンに似た形態となる。溶融光学繊維プレートの用途は、米国特許第５，６２６，４１０号に説明されており、その内容は本明細書に取り入れられるものとする。溶融光学繊維フェイスプレートはまた、市場にてＳｃｈｏｔｔ  Ｆｉｂｅｒ  Ｏｐｔｉｃｓ，  Ｉｎｃ、ＩｎＣｏｍ  ＵＳＡ及びＣｏｌｌｉｍａｔｅｄ  Ｈｏｌｅｓ，  Ｉｎｃから入手可能である。溶融光学繊維フェイスプレートの製造は、労多くして且つ費用のかかるプロセスである。この技術は、極めて高コストであり、且つ、利用可能な溶融光学繊維フェイスプレートの大きさが限られているという理由で、商業ベースでは利用されていなかった。可能な最も大きいサイズは３０．４８センチメートル（１フィート）角である。
【００１０】
溶融光学繊維フェイスプレートは、より大きなフェイスプレートを形成するために継ぎ目無しに並べて張りつめることができない。光学繊維フェイスプレートの境界にある“デッド（Ｄｅａｄ）”繊維は、境界上に可視の黒い継ぎ目を生じ、これは、光学繊維フェイスプレートが一以上の付加的なフェイスプレートを並べて張りつめられたときに明らかになる。これらの可視の黒い継ぎ目は、図５の写真に示されている。
【発明の開示】
【発明が解決しようとする課題】
【００１１】
溶融光学繊維フェイスプレートは、継ぎ目無しに並べて張りつめることができないので、互いに結合してより大きなフェイスプレートを形成し、これをプレスクリーンとして使用することができない。従って、大きさに制限がなく且つ継ぎ目無しに並べて張りつめることができるフェイスプレートが必要とされている。
【課題を解決するための手段】
【００１２】
本発明は、一つの実施形態において、拡散後方投影スクリーンと組み合わせた、プレスクリーンとしての少なくとも一つの実験室で作られた（ｌａｂ−ｃｒｅａｔｅｄ）結晶からなるフェイスプレートを含んでいる、継ぎ目無しに並べて張りつめられた投影ディスプレイを提供する。一つの実施形態においては、多数の結晶プレートが継ぎ目無しに並べて張りつめられることにより、より大きなプレートにされて、大きな投影スクリーンの必要性を満たすことができる。
【００１３】
一つの実施形態においては、光学フェイスプレートは、無色透明で且つ可干渉性のフェイスプレートとして動作する繊維状結晶によって作られる。一つの実施形態においては、単一の繊維の開口数は、光学フェイスプレートの用途に応じて、約０．２０ないし０．６６の範囲内にある。一つの実施形態においては、結晶は、平行に整列した整列された繊維の集合体として形成され、繊維の長手寸法において高い透明性を有する。結晶は、環境に対して安定しており且つ無害である。このような繊維状の結晶の限定的でない例は曹灰ホウ石（“ＴＶ”岩として知られてもいる）であり、これは豊富に存在する性質であることがわかっている。同様の品質を有する他の鉱石の例としては、透石膏、アルテナイト及び霰石がある。
【００１４】
これらの鉱石は、それらが天然に存在する形態において、欠陥及び不純物を有することが多い。従って、本発明は、一つの実施形態においては、実験室で作られた人工的に成長せしめられた形態のこれらの鉱物によって作られた光学フェイスプレートを含んでいる。更に別の実施形態においては、光学フェイスプレートは、天然に発見することができないか天然に繊維状態では発見されない結晶によって作られている。
【発明を実施するための最良の形態】
【００１５】
以下の詳細な説明においては、添付図面を参考にする。これらの図面は、本発明の一部分を形成しており且つ同図面には本発明を実施することができる特定の実施形態が実例によって示されている。これらの実施形態は、当業者が本発明を実施できるように十分詳細に説明されており、これらの実施形態は、互いに組み合わせても良い。又、他の実施形態が利用されても良く、本発明の技術的思想及び範囲を逸脱することなく、構造的及び論理的な変更を施しても良いことが理解されるべきである。従って、以下の詳細な説明は、限定的な意味に考えられるべきではなく、本発明の範囲は、添付の特許請求の範囲及びその等価物によって規定される。
【００１６】
この明細書は、とりわけ、繊維状結晶によって作られた光学フェイスプレート及び同フェイスプレートを形成する方法を説明している。本発明は、一つの実施形態において、拡散後方投影スクリーンと組み合わせた、プレスクリーンとして繊維状結晶によって作られた少なくとも一つのフェイスプレートを含んでいる、継ぎ目無しに並べて張りつめられた投影ディスプレイを提供する。光学フェイスプレートは、無色透明で可干渉性（ｃｏｈｅｒｅｎｔ）のフェイスプレートとして動作する繊維状結晶によって作られている。この繊維状結晶は、“きちんとした綺麗な構造（ｓｍａｒｔ  ｓｔｒｕｃｔｕｒｅ）”を有している。一つの実施形態においては、単一の繊維の開口数は、用途に応じて０．２〜０．６６の範囲内である。繊維状結晶は、平行に整列している整列した繊維の集合体として形成され且つ繊維の長手方向に関して高い透明性を有している。この結晶は、環境的に安定しており且つ無害である。
【００１７】
このような繊維状結晶の非限定的な例としては、豊富にある性質であることがわかっている曹灰ホウ鉱（“ＴＶ”岩として知られてもいる）がある。同様な品質を有する他の鉱物の例としては、透石膏、アルテナイト及び霰石がある。これらの鉱物は、その天然に存在する形態ではプレスクリーン用途に適している光学繊維フェイスプレートとして有用であるかもしれないけれども、欠陥及び不純物を有していることが多い。このような結晶は、光学グレードの材料と考えるには多すぎるたくさんの欠陥及び介在物を有しているであろう。従って、本発明は、一つの実施形態においては、実験室で作った人工的に成長させた形態のこれらの鉱物によって作られた光学繊維フェイスプレートを含んでいる。更に別の実施形態においては、光学繊維フェイスプレートは、天然には発見できないか又は繊維状の形態では天然には発見できない結晶によって作られている。
【００１８】
一つの実施形態においては、以下の特性を有する繊維状結晶によって作られた光学繊維フェイスプレートが提供されている。この繊維状結晶は、規則的な繊維状構造を有しており且つ整列された繊維の集合体として成長する。繊維状結晶は、無色で且つ同繊維の長手方向に関して高い透明性を有している。大きな結晶の例が図７に符号１００によって示されている。繊維間の内部散乱は低い。繊維は、厳密に平行に整列しており、従って、影像伝達は可干渉性である。結晶の屈折率は、適切な導波作用を支援するであろう。単一の繊維の開口数は、フェイスプレートの用途に応じて、約０．２〜０．６６の範囲内である。一つの実施形態においては、周辺光排除の目的のために、開口数は、約０．２４〜０．３５の範囲内とされる。結晶は、環境的に安定しており、すなわち、約−２０〜＋７０℃の温度範囲で安定した形態で存在することができる。結晶は、無毒すなわち無害である。繊維の断面形状は丸くなければならない必要はなく、個々の結晶繊維の断面の大きさは、これらの繊維が繊維の束として協働できる限り、回折限度より十分小さくすることができる。図７を参照すると、本発明による結晶フェイスプレート１１０が示されている。
【００１９】
結晶を成長させるための方法は、結晶の性質に依存する。例えば、一つの実施形態においては、フェイスプレートは、比較的低温及び低圧において、熱水作用方法によって成長せしめられた曹灰ホウ石結晶のような結晶によって作られる。この方法においては、結晶は過飽和溶液内の種結晶から成長せしめられる。
【００２０】
人工的に成長させた結晶の非限定的な例としては、曹灰ホウ石（ＮａＣａＢ5Ｏ9８Ｈ2Ｏ）がある。曹灰ホウ石は、無害で無色である天然鉱物である。この鉱物の硬度は２．５であり、密度は１．９５である。曹灰ホウ石は、“ＴＶ岩”と称され、三斜晶系構造を有している二軸性の光学的に正結晶の結晶である。この鉱物の屈折率は、（アルファ）＝１．４９、（ベータ）＝１．５０４及び（ガンマ）＝
１．５２０である。曹灰ホウ石は、ｃ−軸に沿って可干渉性の光学繊維フェイスプレートの特性がＮＡ０．３（空気中で約３５度の開口角）である。本発明の一つの実施形態においては、曹灰ホウ石は、Ｎａ2Ｏ、ＣｕＯ、Ｂ2Ｏ3、Ｈ2Ｏの正規組成の混合物から成長させることができ、これらは極めて低廉な構成要素である。曹灰ホウ石は、天然の曹灰ホウ石の再結晶により実験室内で成長（ｌａｂ−ｇｒｏｗｎ）させても良い。
【００２１】
制御された環境内で成長せしめられた結晶は、不純物を添加することができ、これは、結晶格子のパラメータを変化させる機会を作るかも知れない。従って、屈折率及び開口数を含む結晶の光学的特性、分解能並びに結晶の電気光学定数が変化せしめられる。電気−光学的相互作用によるドーパントの影響は、“不純物を添加した強誘電体内のチャネル拡散導波管による電気−光学変調器内で入手可能な最小電圧−長さ製造物（Ｍｉｎｅｒａｌ  Ｖｏｌｔａｇｅ−Ｌｅｎｇｔｈ  Ｐｒｏｄｕｃｔ  Ａｃｃｅｓｓｉｂｌｅ  ｉｎ  Ｃｈａｎｎｅｌ−Ｄｉｆｆｕｓｅｄ  Ｗａｖｅｇｕｉｄｅ  Ｅｌｅｃｔｒｏ−Ｏｐｔｉｃ  Ｍｏｄｕｌａｔｏｒｓ  ｉｎ  Ｄｏｐｅｄ  Ｆｅｒｒｏｅｌｅｃｔｒｉｃｓ”、Ｋｏｌｏｓｏｖｓｋａｙａ，  Ａ．Ｅ．，  Ｚｉｌｌｉｎｇ，  Ｃ．Ｃ．，  Ｐｒｏｃ．  ＳＰＩＥ  第２０５１巻、８５５〜８６０頁、光学情報処理国際会議（Ｉｎｔｅｒｎａｔｉｏｎａｌ  Ｃｏｎｆｅｒｅｎｃｅ  ｏｎ  Ｏｐｔｉｃａｌ  Ｉｎｆｏｒｍａｔｉｏｎ  Ｐｒｏｃｅｓｓｉｎｇ）（１９９４）（本明細書に参考として組み入れられるものとする）に説明されている。更に、構造は層状にすることができ、すなわち、垂直軸線に沿った特性の勾配又は急勾配の変化が、成長中にドーパントの濃度を変えることによって得られる。
【００２２】
本発明による実験的で作られた結晶は用途が極めて多い。一つの実施形態においては、これらの結晶は、大きさに制限がないので、事実上あらゆる大きさに作ることができる。これらは、基材上に大きなシートとして成長させても良い。一つの実施形態においては、目視できる継ぎ目無しに個々のシートを重ねるか又は並べて張りつめても良い。本発明に従って繊維状結晶によって作られたフェイスプレートは、ナノメータの規模のピッチ又は繊維の大きさを有し、従って、目に見える継ぎ目を形成しない。本発明の一つの実施形態による繊維状結晶フェイスプレートは、ミクロン規模のピッチを有し且つ目に見える継ぎ目を形成することなく並べて張りつめることができないガラス製のフェイスプレートとは異なり、継ぎ目無しに並べて張りつめることができる。
【００２３】
図７を参照すると、一つの実施形態において、本発明は、後方投影スクリーン１３０と組み合わせた、少なくとも一つの実験室で作られた結晶フェイスプレート１１０を有しているプレスクリーン１２０を含んでいる投影ディスプレイ１００を提供している。一つの実施形態においては、ディスプレイは、更に、拡散された後方投影スクリーンの、眺める側に反射防止コーティングを含んでいる。一つの実施形態においては、本発明は、効率が良く且つ従来技術による投影ディスプレイよりも低廉な継ぎ目無しに並べて張りつめた投影ディスプレイを提供することができる。
【００２４】
更に別の実施形態において、本発明は、図６に示されているような、実験室で成長させた結晶材料によって作られたフェイスプレート１０を提供する。
一つの実施形態においては、本発明は、影像増強管、写野平坦化光学系、液晶光弁（ＬＣＬＶ）、ＣＣＤアレイ、Ｘ−線撮影、ＣＲＴディスプレイ及び遠隔観察のために使用するための繊維状結晶材料を提供する。本発明による繊維状結晶フェイスプレートは、ＣＣＤアレイのためのフェイスプレートと基材との機能を一体化することができる。
【００２５】
本発明は、遙かに低いコストで、重なり及び周辺光の排除を伴わない、継ぎ目の無い像のような、溶融光学繊維プレスクリーンが有する利点の全てを提供する解決方法を提供する。このような結晶によって作られたフェイスプレートは、サイズの制限がない。一つの実施形態においては、多数の結晶プレートを継ぎ目無しに並べて張りつめることにより、より大きなプレートに作ることができ、より大きな投影スクリーンの必要性を満たす。
【００２６】
本発明による繊維状結晶材料によって作られたフェイスプレートの利点としては、より低い価格、より高い解像度、より高い透過率、より軽い重量及び処理の容易性がある。一つの実施形態においては、実験室で成長させた結晶はまた、拡散が無いものであっても良い。このような結晶によって作られたフェイスプレートは、サイズの制限がない。一つの実施形態においては、より小さな結晶のプレートが継ぎ目無しに並べて張りつめられて、より大きなプレートとされても良く、より大きな投影スクリーンの必要性を満たす。本発明のこれらの及びその他の特徴及び利点は、当業者に明らかとなるであろう。
【００２７】
上記した発明は、とりわけ、繊維状結晶によって作られた光学フェイスプレート、同フェイスプレートを形成する方法、及び、拡散後方投影スクリーンと組み合わせた、大きさに制限のないプレスクリーンとして少なくとも一つの繊維状結晶フェイスプレートを含んでいる投影ディスプレイを提供する。一つの実施形態においては、繊維状結晶は実験室で作っても良い。一つの実施形態においては、投影ディスプレイは、継ぎ目無しに並べて張りつめても良く且つ多数のフェイスプレートを含んでいる。
【００２８】
上記の説明は、例示的なものであって限定的なものではない。多くの他の実施形態が当業者に明らかであろう。従って、本発明の範囲は、特許請求の範囲によって与えられる等価物の全範囲に従って、特許請求の範囲を参考にして決定されるべきである。
【図面の簡単な説明】
【００２９】
【図１】図１は、並べて張りつめる方法の基本的な原理を示している構成図である。
【図２】図２は、光学繊維プレスクリーンを示している概略図である。
【図３】図３は、光学繊維プレスクリーンを示している概略図である。
【図４】図４は、光学繊維プレスクリーンを示している概略図である。
【図５】図５は、従来技術による光学繊維フェイスプレートの欠陥を示している概略図である。
【図６】図６は、本発明の実施形態による実験室で作られた結晶の図である。
【図７】図７は、本発明に従って作られた後方投影スクリーンの拡散特性を示している図である。
【図１】
2004533002.tif 000003
【図２】
2004533002.tif 000004
【図３】
2004533002.tif 000005
【図４】
2004533002.tif 000006
【国際公開パンフレット】
2004533002.tif 000007
2004533002.tif 000008
2004533002.tif 000009
2004533002.tif 000010
2004533002.tif 000011
2004533002.tif 000012
2004533002.tif 000013
2004533002.tif 000014
2004533002.tif 000015
2004533002.tif 000016
2004533002.tif 000017
2004533002.tif 000018
2004533002.tif 000019
2004533002.tif 000020
2004533002.tif 000021
2004533002.tif 000022
2004533002.tif 000023
【国際公開パンフレット（コレクトバージョン）】
2004533002.tif 000024
【国際調査報告】
2004533002.tif 000025
2004533002.tif 000026
2004533002.tif 000027